(57)【特許請求の範囲】
【請求項１】
所定の図柄始動条件が成立することに基づいて取得される乱数情報を所定の上限保留数分記憶可能な先入れ先出し式の保留記憶手段と、
所定の変動開始条件が成立することに基づいて、前記保留記憶手段上の待ち行列の先頭の前記乱数情報に含まれる所定乱数値が所定判定値と一致するか否かを判定する変動開始時判定手段と、
前記変動開始時判定手段の判定結果に基づいて図柄表示手段による図柄変動を制御する図柄表示制御手段と、
前記変動開始時判定手段による判定結果に基づいて、前記図柄表示手段による図柄変動の終了後に利益状態を発生させる利益状態発生手段と、
前記変動開始時判定手段による判定よりも前の所定のタイミングで、前記所定乱数値が前記所定判定値と一致するか否かを判定する先読み判定手段と、
前記保留記憶手段に記憶されている前記乱数情報毎に、前記先読み判定手段による判定から前記図柄変動に供されるまでの間の所定の先読み予告報知期間中、前記先読み判定手段による判定結果に基づく先読み予告報知を実行する先読み予告報知制御手段と
を備えた遊技機において、
前記先読み予告報知期間中の前記先読み予告報知における報知態様の変化状態が規定された報知パターンを複数種類記憶する報知パターン記憶手段と、
前記先読み判定手段による判定結果に基づいて前記複数種類の報知パターンの何れかを選択する報知パターン選択手段とを備え、
前記先読み予告報知制御手段は、前記報知パターン選択手段により選択された前記報知パターンに従って前記先読み予告報知を実行するように構成され、
３種類以上の前記報知態様について予め順位付けがされており、
最終の前記報知態様が同じ複数の前記報知パターンのうち、前記報知態様が変化する可変報知パターンにあっては、前記先読み判定手段による判定結果が遊技者に有利な特定結果である場合には前記報知態様の変化による順位上昇幅が大きい報知パターンほど選択率が高く、前記特定結果でない場合には前記報知態様の変化による順位上昇幅が小さい報知パターンほど選択率が高い
ことを特徴とする遊技機。
【発明の詳細な説明】
【技術分野】
【０００１】
本発明は、いわゆる先読みによる予告報知機能を備えたパチンコ機等の遊技機に関するものである。
【背景技術】
【０００２】
例えばパチンコ機では、図柄始動手段が遊技球を検出したときに、乱数発生手段から大当たり判定乱数値等の乱数情報を取得すると共に所定の上限保留数（例えば４個）を限度として先入れ先出し式の保留記憶手段に記憶し、図柄表示手段が変動可能な状態となる毎に保留記憶手段から乱数情報を順次取り出してその乱数情報のうちの大当たり判定乱数値が予め定められた大当たり判定値と一致するか否か等を判定し、一致する場合には大当たり態様（特定態様）で、一致しない場合には外れ態様で停止するように図柄表示手段による図柄変動を行い、大当たり態様となった場合には例えば大入賞手段の開放等の利益状態を発生させて遊技者に多大な利益を還元するように構成されたものが一般的である。
【０００３】
また更には、大当たり判定乱数値が大当たり判定値と一致するか否か等、乱数情報に関する判定を、図柄変動開始時よりも前の所定時点、例えばその乱数情報の取得時にも行い（先読み判定）、その先読み判定結果に基づいて、例えば保留個数を表示する保留表示画像の表示態様を変える等により予告的に報知する先読み予告報知を行うように構成されたものも知られている（例えば特許文献１）。
【先行技術文献】
【特許文献】
【０００４】
【特許文献１】特開２０１１−５０６１６号公報
【発明の概要】
【発明が解決しようとする課題】
【０００５】
この種の遊技機は、例えば大当たりとなる信頼度に応じて保留表示画像を所定の表示態様で表示することにより先読み判定結果を報知するものであるため、保留表示画像の表示態様を一目見るだけで信頼度の高低を容易に知ることができるという単なる信頼度の報知手段としての機能を発揮しているに過ぎず、演出手段として十分な機能を発揮しているとは言い難い。
【０００６】
なお、特許文献１に記載のパチンコ機については、保留表示画像の表示態様を変化させることによって表示のバリエーションを増やしているが、表示態様がどのように変化しても、最終の表示態様が同じであれば信頼度は同じであり、遊技者はその最終の表示態様にのみ注目すれば容易に信頼度の高低を知ることができるため、十分な演出効果は期待できない。
【０００７】
本発明は上記事情に鑑みてなされたものであり、先読み予告報知によって十分な演出効果を発揮し得る遊技機を提供することを目的とする。
【課題を解決するための手段】
【０００８】
本発明は、所定の図柄始動条件が成立することに基づいて取得される乱数情報を所定の上限保留数分記憶可能な先入れ先出し式の保留記憶手段５３と、所定の変動開始条件が成立することに基づいて、前記保留記憶手段５３上の待ち行列の先頭の前記乱数情報に含まれる所定乱数値が所定判定値と一致するか否かを判定する変動開始時判定手段５４ａと、前記変動開始時判定手段５４ａの判定結果に基づいて図柄表示手段２２による図柄変動を制御する図柄表示制御手段５６と、前記変動開始時判定手段５４ａによる判定結果に基づいて、前記図柄表示手段２２による図柄変動の終了後に利益状態を発生させる利益状態発生手段５５と、前記変動開始時判定手段５４ａによる判定よりも前の所定のタイミングで、前記所定乱数値が前記所定判定値と一致するか否かを判定する先読み判定手段５８と、前記保留記憶手段５３に記憶されている前記乱数情報毎に、前記先読み判定手段５８による判定から前記図柄変動に供されるまでの間の所定の先読み予告報知期間中、前記先読み判定手段５８による判定結果に基づく先読み予告報知を実行する先読み予告報知制御手段６４とを備えた遊技機において、前記先読み予告報知期間中の前記先読み予告報知における報知態様の変化状態が規定された報知パターンを複数種類記憶する報知パターン記憶手段６５と、前記先読み判定手段５８による判定結果に基づいて前記複数種類の報知パターンの何れかを選択する報知パターン選択手段６６とを備え、前記先読み予告報知制御手段６４は、前記報知パターン選択手段６６により選択された前記報知パターンに従って前記先読み予告報知を実行するように構成され、３種類以上の前記報知態様について予め順位付けがされており、最終の前記報知態様が同じ複数の前記報知パターンのうち、前記報知態様が変化する可変報知パターンにあっては、前記先読み判定手段５８による判定結果が遊技者に有利な特定結果である場合には前記報知態様の変化による順位上昇幅が大きい報知パターンほど選択率が高く、前記特定結果でない場合には前記報知態様の変化による順位上昇幅が小さい報知パターンほど選択率が高くなるように構成したものである。
【００１１】
また、３種類以上の前記報知態様について予め順位付けがされており、前記報知態様が変化する可変報知パターンのうち、前記報知態様の変化による順位上昇幅及び最終の前記報知態様が同じ複数の前記報知パターンにあっては、前記先読み判定手段５８による判定結果が遊技者に有利な特定結果である場合には前記報知態様の変化タイミングが遅い報知パターンほど選択率が高く、前記特定結果でない場合には前記報知態様の変化タイミングが早い報知パターンほど選択率が高くなるように設定してもよい。
【００１２】
また、前記変動開始時判定手段５４ａ及び前記先読み判定手段５８は、前記乱数情報に含まれる当たり判定乱数値が当たり判定値と一致するか否かを判定するように構成され、前記当たり判定乱数値が前記当たり判定値と一致した旨の前記特定結果が得られた場合には、前記図柄表示手段２２による変動後の停止図柄が特定態様になると共に前記利益状態が発生するように構成してもよい。
【００１３】
更に、前記報知態様が変化する可変報知パターンは、前記図柄表示手段２２による図柄変動の終了又は新たな図柄変動の開始のタイミングで前記報知態様が変化するものを含むように構成してもよい。
【発明の効果】
【００１４】
本発明によれば、最終の報知態様が同じでもそれまでの報知態様の変化状況によって信頼度等が異なるため、遊技者は最終の報知態様だけでなくそれに至る報知態様の変化状況を見極めることでより正確に信頼度の高低等を判断することができ、この先読み予告報知によって十分な演出効果が期待できる。
【図面の簡単な説明】
【００１５】
【図１】本発明の第１の実施形態におけるパチンコ機の全体正面図である。
【図２】同パチンコ機の制御系のブロック図である。
【図３】同パチンコ機の保留減算コマンド及び保留増加コマンドの一例を示す図である。
【図４】同パチンコ機の表示パターン選択テーブルの一例を示す図である。
【図５】同パチンコ機の保留個数報知画像の複数の表示態様についての大当たり信頼度の設定順位を示す図である。
【図６】同パチンコ機の表示パターンを分類する各タイプの内容を示す図である。
【図７】同パチンコ機の表示パターン選択処理のフローチャートを示す図である。
【図８】本発明の第２の実施形態におけるパチンコ機の表示パターン選択テーブルの一例を示す図である。
【発明を実施するための形態】
【００１６】
以下、本発明の実施形態を図面に基づいて詳述する。図１〜図７は本発明をパチンコ機に採用した第１の実施形態を例示している。図１において、遊技機本体１は、矩形状の外枠２と、この外枠２の前側に左右一側、例えば左側のヒンジ３により開閉自在に枢着された前枠４とを備えている。前枠４の前側には、ガラス扉５と前面板６とが上下に配置され、夫々ヒンジ３と同じ側のヒンジ７により前枠４に開閉自在に枢支されている。
【００１７】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。
【００１８】
前枠４には、ガラス扉５の後側に対応して遊技盤１１が着脱自在に装着されている。遊技盤１１の前面側には、発射手段から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８等の各種遊技部品が配置されている。また、センターケース１４には、液晶式等の画像表示手段１９の他、普通図柄表示手段２１、特別図柄表示手段２２、普通保留個数表示手段２３等が設けられている。画像表示手段１９は、演出図柄表示手段２４、特別保留個数表示手段２５等を構成している。
【００１９】
普通図柄表示手段２１は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２０】
また、普通図柄表示手段２１の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２３がその発光個数により当たり判定乱数値の記憶個数（以下、普通保留個数という）を表示して、その時点での普通保留個数を遊技者に報知するようになっている。
【００２１】
特別図柄始動手段１６は、特別図柄表示手段２２による図柄変動を開始させるためのもので、上下２つの特別始動口１６ａ，１６ｂと、下特別始動口１６ｂを開閉する開閉手段２６とを備え、例えばセンターケース１４の下側に配置されている。上特別始動口１６ａは、開閉手段等を有しない非作動式入賞口である。下特別始動口１６ｂは、開閉手段２６により遊技球が入賞可能な開状態と入賞不可能な閉状態とに切り換え可能な作動式入賞口で、普通図柄表示手段２１の変動後の停止図柄が当たり態様となって普通利益状態が発生したときに、開閉手段２６が所定時間、所定回数だけ閉状態から開状態に変化するように構成されている。
【００２２】
特別図柄表示手段（図柄表示手段）２２は、１個又は複数個、例えば１個の特別図柄（図柄）を変動表示可能な７セグメント式等の表示手段により構成されており、特別図柄始動手段１６が遊技球を検出すること、即ち上下２つの特別始動口１６ａ，１６ｂの何れかに遊技球が入賞することを条件に特別図柄を所定時間変動表示して、特別始動口１６ａ，１６ｂへの入賞時に取得された乱数情報に含まれる大当たり判定乱数値（当たり判定乱数値）が予め定められた大当たり判定値（当たり判定値）と一致する場合には所定の大当たり態様（特定態様）で、それ以外の場合には外れ態様で停止するようになっている。特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのようなそれ自体としては特別な意味を持たない図柄を割り当ててもよい。
【００２３】
また、特別図柄の変動表示中、又は後述する特別利益状態中に特別始動口１６ａ，１６ｂに遊技球が入賞した場合には、その入賞時に取得された大当たり判定乱数値等の乱数情報が夫々所定の上限保留個数、例えば各４個を限度として記憶されると共に、例えば画像表示手段１９上に乱数情報の記憶個数（以下、特別保留個数という）を表示して、その時点での特別保留個数を遊技者に報知するようになっている。
【００２４】
演出図柄表示手段２４は、例えば特別図柄表示手段２２による特別図柄の変動表示と並行して演出図柄を変動表示するもので、１個又は複数個、例えば左右方向に３個の演出図柄を例えば各種の演出画像と共に画像表示手段１９の表示画面１９ａに変動表示可能に構成されており、特別図柄始動手段１６が遊技球を検出すること、即ち上下２つの特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００２５】
演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。なお、本実施形態では、特別図柄が大当たり態様となる場合には演出図柄も大当たり態様となり、特別図柄が外れ態様となる場合には演出図柄も外れ態様となるものとする。
【００２６】
特別保留個数表示手段２５は、特別保留個数分（例えば最大４個分）の保留個数報知画像Ｘ１〜Ｘ４の表示個数により特別保留個数を表示するもので、表示画面１９ａ上の所定部分、例えば下部に特別保留個数分の保留個数報知画像Ｘ１〜を表示するようになっている。保留個数報知画像Ｘ１〜は、特別図柄始動手段１６が遊技球を検出して特別保留個数が増加する毎に待ち行列の後ろ側、例えば右側に１個ずつ追加表示され、また特別図柄表示手段２２による新たな特別図柄変動が開始されて特別保留個数が減少する毎に、待ち行列の先頭の保留個数報知画像Ｘ１を消去すると共にその他の保留個数報知画像Ｘ２〜を待ち行列の先頭側にシフトして新たな保留個数報知画像Ｘ１〜とするようになっている。
【００２７】
保留個数報知画像Ｘ１〜Ｘ４には、例えば任意の図形やキャラクターの画像を用いることができ、本実施形態では「○」の図形を用いている。また、保留個数報知画像Ｘ１〜Ｘ４には、色、模様、形、大きさ等が異なる複数種類の表示態様（報知態様）が用意されている。本実施形態では、塗りつぶし色が「白」、「青」、「黄」、「赤」の４種類の表示態様が用意されているものとする。なお図面上では、保留個数報知画像Ｘ１〜Ｘ４の「白」、「青」、「黄」、「赤」の４種類の表示態様を、それぞれ「白抜き」、「斜線」、「網掛け」、「塗りつぶし」によって表現する。
【００２８】
また、特別保留個数表示手段２５は先読み予告報知を行う先読み予告報知手段としても機能し、例えば保留個数報知画像Ｘ１〜の表示態様（報知態様）を、保留記憶されている乱数情報毎に、後述する先読み判定結果に基づいて選択された表示パターン（報知パターン）に従って変化させるようになっている。
【００２９】
大入賞手段１７は、遊技球が入賞可能な開状態と入賞不可能な閉状態とに切り換え可能な開閉板２７を備えた開閉式入賞手段で、特別図柄表示手段２２の変動後の特別図柄が大当たり態様となることに基づいて特別利益状態（利益状態）が発生したときに、開閉板２７が所定の開放パターンに従って前側に開放して、その上に落下した遊技球を内部へと入賞させるようになっている。
【００３０】
図２は本パチンコ機の制御系のブロック図である。図２において、３１は主制御基板、３２は演出制御基板で、これら各制御基板３１，３２は、遊技盤１１に装着されたセンターケース１４、その他の複数個の遊技部品を裏側から一括して覆う裏カバーの裏側等、前枠４及び遊技盤１１を含む遊技機本体１の裏側の適宜箇所に着脱自在に装着された基板ケースに夫々収納されている。
【００３１】
主制御基板３１は、遊技動作を統括的に制御するもので、ＣＰＵ，ＲＯＭ，ＲＡＭ等により構成される普通乱数作成処理手段４１、普通始動口チェック処理手段４２、普通乱数記憶手段４３、普通図柄処理手段４４、普通利益状態発生手段４５、普通図柄表示制御手段４６、特別乱数作成処理手段５１、特別始動口チェック処理手段５２、特別乱数記憶手段５３、特別図柄処理手段５４、特別利益状態発生手段５５、特別図柄表示制御手段５６、特別遊技状態発生手段５７、先読み判定手段５８、制御コマンド送信手段５９等を備えている。
【００３２】
普通乱数作成処理手段４１は、変動後の普通図柄を当たり態様とするか否かの判定に用いる当たり判定乱数等を所定時間毎に繰り返し発生するように構成されている。普通始動口チェック処理手段４２は、普通図柄始動手段１５による遊技球の検出に基づく処理を行うもので、普通図柄始動手段１５が遊技球を検出することに基づいて、普通乱数作成処理手段４１で作成された当たり判定乱数値を１個取得し、その当たり判定乱数値を予め定められた上限保留個数（例えば４個）を限度として先入れ先出し式の普通乱数記憶手段４３に記憶させるように構成されている。
【００３３】
普通図柄処理手段４４は、普通図柄の変動表示に関する処理を行うもので、当たり判定手段４４ａ、普通停止図柄選択手段４４ｂ、変動時間選択手段４４ｃ等を備えている。当たり判定手段４４ａは、普通図柄の変動後の停止図柄を当たり態様とするか否かの判定を行うもので、普通図柄表示手段２１が変動表示可能な状態となり且つ普通乱数記憶手段４３に１個以上の当たり判定乱数値が記憶されていること（普通保留個数が１以上であること）を条件に、普通乱数記憶手段４３に記憶されている当たり判定乱数値の待ち行列からその先頭の当たり判定乱数値を取り出し、その当たり判定乱数値が予め定められた当たり判定値と一致するか否かに応じて当たり／外れの判定を行うように構成されている。
【００３４】
普通停止図柄選択手段４４ｂは、普通図柄の変動後の停止図柄の種類を選択するものである。本実施形態では、当たり態様と外れ態様に対応するのは各１種類の図柄のみであるため、当たり判定機能による当たり／外れの判定結果に基づいて、当たり判定の場合には「○」が、外れ判定の場合には「×」が画一的に選択される。変動時間選択手段４４ｃは、普通図柄の変動時間を選択するものである。
【００３５】
普通利益状態発生手段４５は、当たり判定手段４４ａによる判定結果が当たり判定となり、普通図柄表示手段２１の変動後の停止図柄が当たり態様となったときに、特別図柄始動手段１６を構成する下特別始動口１６ｂの開閉手段２６を例えば複数種類の開閉パターンの何れかに従って開状態に変化させるようになっている。
【００３６】
普通図柄表示制御手段４６は、普通図柄処理手段４４による普通図柄処理に基づいて普通図柄表示手段２１の表示制御を行うもので、普通図柄表示手段２１が変動表示可能な状態となり且つ普通乱数記憶手段４３に１個以上の当たり判定乱数値が記憶されていること（普通保留個数が１以上であること）を条件に普通図柄表示手段２１による普通図柄の変動を開始させ、変動時間選択手段４４ｃで選択された変動時間が経過することに基づいて、普通停止図柄選択手段４４ｂで選択された停止図柄で普通図柄の変動を停止させるようになっている。
【００３７】
特別乱数作成処理手段５１は、大当たり／外れの判定に用いる大当たり判定乱数の他、大当たり判定の場合の停止図柄態様の選択に用いる大当たり図柄乱数、外れ判定の場合の停止図柄の選択に用いる外れ図柄乱数、演出図柄の変動パターンの選択に用いる変動パターン乱数、その他の所定の乱数を繰り返し発生する特別乱数作成処理を行うように構成されている。
【００３８】
特別始動口チェック処理手段５２は、特別図柄始動手段１６への遊技球の入賞に基づく処理を行うもので、特別図柄始動手段１６が遊技球を検出すること（所定の図柄始動条件の成立の一例）、即ち特別始動口１６ａ，１６ｂに遊技球が入賞することに基づいて、特別乱数作成処理手段５１で作成された大当たり判定乱数値、大当たり図柄乱数値等の乱数情報を取得し、その乱数情報を予め定められた上限保留個数（例えば４個）を限度として先入れ先出し式の特別乱数記憶手段（保留記憶手段）５３に記憶させるように構成されている。
【００３９】
特別図柄処理手段５４は、特別図柄の変動表示に関する処理を行うもので、大当たり判定手段５４ａ、特別停止図柄選択手段５４ｂ、変動パターン選択手段５４ｃ等を備えている。大当たり判定手段（変動開始時判定手段）５４ａは、乱数抽選により大当たり／外れの判定を行うもので、特別図柄表示手段２２が変動表示可能な状態となり且つ特別乱数記憶手段５３に１個以上の大当たり判定乱数値が記憶されていること（特別保留個数が１以上であること）を条件に（所定の変動開始条件の成立の一例）、特別乱数記憶手段５３に記憶されている乱数情報の待ち行列からその先頭の大当たり判定乱数値を取り出し、その大当たり判定乱数値（所定乱数値）が予め定められた大当たり判定値（所定判定値）と一致するか否かに応じて大当たり／外れの判定を行うように構成されている。
【００４０】
特別停止図柄選択手段５４ｂは、特別図柄の変動後の停止図柄の種類を選択するもので、例えば大当たり判定手段５４ａによる判定結果が大当たりであった場合には、特別乱数記憶手段５３に記憶されている乱数情報に含まれる大当たり図柄乱数値に基づいて例えば複数種類の大当たり態様の何れかを選択し、大当たり判定手段５４ａによる判定結果が外れであった場合には例えば複数種類の外れ態様の何れかを抽選等により選択するように構成されている。
【００４１】
変動パターン選択手段５４ｃは、演出図柄の変動パターンを複数種類の中から選択するもので、所定の変動パターン選択テーブルを用いて、変動パターン乱数による抽選により変動パターンを択一的に選択するようになっている。演出図柄の変動パターンには、例えばリーチ状態を経由して大当たり態様又は外れ態様となるリーチ大当たり／外れ変動パターンと、リーチ状態を経由することなく外れ態様となる通常変動パターンとがあり、またそれらリーチ大当たり／外れ変動パターンと通常変動パターンとが夫々複数種類設けられており、大当たり判定手段５４ａによる判定結果が大当たりの場合にはリーチ大当たり変動パターンの何れかが、大当たり判定手段５４ａによる判定結果が外れの場合にはリーチ外れ変動パターンと通常変動パターンのうちの何れかが、変動パターン選択テーブルを用いた抽選により選択されるようになっている。
【００４２】
特別利益状態発生手段（利益状態発生手段）５５は、大入賞手段１７を所定の開放パターンに従って開放する特別利益状態（利益状態）を発生させるためのもので、大当たり判定手段５４ａによる判定結果が大当たり判定となり、特別図柄表示手段２２による特別図柄の変動後の停止図柄が大当たり態様（特定態様）となることに基づいて特別利益状態を発生させるようになっている。本実施形態における大入賞手段１７の開放パターンは、大入賞手段１７の開放から所定時間（例えば２８秒）経過するか、それまでに所定個数（例えば９個）の遊技球が入賞することを条件に大入賞手段１７を閉鎖する動作を、所定ラウンド数（例えば１５ラウンド）行うように設定されているものとするが、複数種類の開放パターンを設け、例えば大当たり図柄乱数値に基づいてそれらの何れかを選択するように構成してもよい。
【００４３】
特別図柄表示制御手段（図柄表示制御手段）５６は、特別図柄表示手段（図柄表示手段）２２の表示制御を行うもので、特別図柄表示手段２２が変動表示可能な状態となり且つ特別乱数記憶手段５３に１以上の乱数情報が記憶されていること（特別保留個数が１以上であること）を条件に、特別図柄表示手段２２による特別図柄の変動を開始させ、変動パターン選択手段５４ｃにより選択された演出図柄の変動パターンに対応する変動時間が経過することに基づいて、特別停止図柄選択手段５４ｂにより選択された停止図柄で特別図柄の変動を停止させるようになっている。
【００４４】
特別遊技状態発生手段５７は、特別利益状態発生後の所定期間に遊技者に有利な特別遊技状態を発生させるためのもので、例えば特別乱数記憶手段５３に記憶された乱数情報に含まれる大当たり判定乱数値が大当たり判定値と一致した場合の大当たり図柄乱数値に基づいて、その大当たり図柄乱数値が所定の確変判定値と一致しない場合には時短遊技状態を、一致する場合には確変遊技状態を夫々発生させるように構成されている。
【００４５】
時短遊技状態中は、特別図柄に関して特別図柄表示手段２２の変動時間が通常変動時間よりも短い短縮変動時間に切り替えられる他、普通図柄に関して、当たり確率が通常確率から高確率へ、変動時間が通常変動時間から短縮変動時間へ、下特別始動口１６ｂの開閉手段２６の開閉パターンが通常開閉パターンから延長開閉パターンへ、夫々切り替えられるようになっている。なお、時短遊技状態は例えばその開始後に特別図柄が所定回数（例えば５０回）変動するか、それまでに次の特別利益状態が発生した時点で終了するようになっている。
【００４６】
また確変遊技状態中は、それ以外の通常確率状態中よりも大当たり判定値の数が増加することにより、特別図柄が大当たり態様となる確率が通常確率よりも高い高確率に切り替えられると共に、例えば時短遊技状態と同様の処理も併せて行われるようになっている。なお、確変遊技状態は例えば次の特別利益状態が発生した時点で終了するが、次の特別利益状態が発生するまでに所定の終了条件が成立（特別図柄が所定回数変動、転落抽選に当選等）した場合にはその時点で終了するようにしてもよい。
【００４７】
先読み判定手段５８は、特別図柄始動手段１６が遊技球を検出したときに取得される大当たり判定乱数値等の乱数情報の内容を、大当たり判定手段５４ａによる判定よりも前の所定のタイミング、例えばその乱数情報を取得した時点で事前に判定するもので、例えば大当たり判定乱数値が大当たり判定値と一致するか否か、及び大当たり図柄乱数値が確変判定値と一致するか否かに応じて、例えば大当たり判定乱数値が大当たり判定値と一致しない「外れ保留記憶」、大当たり判定乱数値が大当たり判定値と一致し且つ大当たり図柄乱数値が確変判定値と一致しない「通常大当たり保留記憶」、大当たり判定乱数値が大当たり判定値と一致し且つ大当たり図柄乱数値が確変判定値と一致する「確変大当たり保留記憶」の何れであるかを判定するようになっている。
【００４８】
制御コマンド送信手段５９は、所定の制御コマンドを一方向通信により演出制御基板３２等のサブ制御基板側に送信して制御指令を与えるためのもので、特別図柄処理手段５４による特別図柄処理に基づいて、特別図柄の変動開始時に、減算後の特別保留個数を指定する保留減算コマンド、演出図柄の変動パターンを指定する変動パターン指定コマンド、特別図柄の変動後の停止図柄を指定する停止図柄コマンドを例えばこの順序で演出制御基板３２側に送信し、特別図柄の変動終了時に演出図柄の変動停止を指示する変動停止コマンドを演出制御基板３２側に送信する機能、特別図柄始動手段１６による遊技球検出時に増加後の特別保留個数等を指定する保留増加コマンドを演出制御基板３２側に送信する機能、確変遊技状態中における遊技モードの状況を示す遊技モードコマンドを、確変遊技状態中における特別図柄の変動毎、即ち例えば特別図柄の変動開始毎に演出制御基板３２側に送信する機能等を備えている。
【００４９】
保留減算コマンドは、図３に示すように、例えば減算後の特別保留個数（ここでは０〜３個）に応じて複数種類（ここでは４種類）設けられている。また、保留増加コマンドは、図３に示すように、例えば増加後の特別保留個数（ここでは１〜４個）に応じた複数種類（ここでは４種類）のコマンドが、先読み判定手段５８による外れ保留記憶、通常大当たり保留記憶、確変大当たり保留記憶の３種類の判定結果に応じて３組設けられている。
【００５０】
演出制御基板３２は、画像表示手段１９、音声出力手段６１、電飾手段６２等の各種演出手段を制御するもので、図柄変動演出制御手段６３、特別保留個数表示制御手段６４、表示パターン記憶手段６５、表示パターン選択手段６６等を備えている。
【００５１】
図柄変動演出制御手段６３は、演出図柄表示手段２４の表示制御及びそれに伴う音声出力手段６１、電飾手段６２等の制御を行うもので、主制御基板３１から変動パターン指定コマンドを受信し、その後所定時間内に停止図柄コマンドを受信することを条件に、演出図柄の停止図柄を選択する停止図柄抽選処理を実行した後、変動パターン指定コマンドで指定された変動パターンに基づいて、画像表示手段１９上の演出図柄表示手段２４により所定の演出画像と共に演出図柄の変動を開始させ、変動停止コマンドを受信したときに、停止図柄抽選処理により決定された停止図柄で演出図柄の変動を停止させ、またその演出図柄の変動表示に合わせて音声出力手段６１から所定の効果音を出力し、電飾手段６２を所定のパターンで発光させるようになっている。
【００５２】
特別保留個数表示制御手段６４は、特別保留個数表示手段２５による特別保留個数の表示制御を行うもので、特別図柄始動手段１６により新たに遊技球が検出され、主制御基板３１から保留増加コマンドを受信したときに、その保留増加コマンドに基づいて、画像表示手段１９上の特別保留個数表示手段２５に表示されている保留個数報知画像Ｘ１〜の個数が増加後の特別保留個数と一致するように、既に表示されている保留個数報知画像の待ち行列の後ろ側に保留個数報知画像を１個追加表示し、また主制御基板３１から保留減算コマンドを受信することに基づいて、画像表示手段１９上の特別保留個数表示手段２５に表示されている保留個数報知画像Ｘ１〜の個数が減少後の特別保留個数と一致するように、待ち行列の先頭の保留個数報知画像Ｘ１を消去すると共にその他の保留個数報知画像Ｘ２〜を待ち行列の先頭側にシフトして新たな保留個数報知画像Ｘ１〜とするように構成されている。
【００５３】
従って、例えば特別保留個数が３個のときに特別図柄始動手段１６が遊技球を検出して特別保留個数が４個に増加すると、画像表示手段１９上に表示されていた３個の保留個数報知画像Ｘ１〜Ｘ３に加えて新たに４個目の保留個数報知画像Ｘ４が表示され、その保留個数報知画像Ｘ４は、特別図柄の新たな変動が開始される毎に→Ｘ３→Ｘ２→Ｘ１へと移行された後、対応する特別図柄変動が開始される際に画像表示手段１９から消去される。
【００５４】
また、特別保留個数表示制御手段（先読み予告報知制御手段）６４は、特別図柄始動手段１６が遊技球を検出することによって新たに乱数情報が取得された場合に、その乱数情報について先読み判定手段５８による先読み判定が行われてからその乱数情報が特別図柄変動に供されるまでの間の先読み予告報知期間中、先読み判定手段５８による判定結果に基づく先読み予告報知を実行するようになっている。
【００５５】
この先読み予告報知は、特別図柄始動手段１６による遊技球検出時に取得される各乱数情報に対応する保留個数報知画像Ｘ１〜の表示態様を、先読み判定手段５８による判定結果に基づいて表示パターン選択手段６６によって選択された表示パターンに従って乱数情報毎に制御することにより行われる。
【００５６】
表示パターン（報知パターン）は、先読み予告報知期間中の先読み予告報知における保留個数報知画像Ｘ１〜の表示態様（報知態様）の変化状態を規定するもので、本実施形態では、図４に示すような複数種類の表示パターンＡ０１〜Ａ１０，Ｂ０１〜Ｂ１５が、予め表示パターン記憶手段（報知パターン記憶手段）６５に記憶されているものとする。
【００５７】
また本実施形態では、保留個数報知画像Ｘ１〜Ｘ４についてその表示色が異なる複数種類、例えば「白」、「青」、「黄」、「赤」の４種類の表示態様が設けられており、先読み予告報知では、それらのうちの「青」、「黄」、「赤」の３種類の表示態様が用いられ、「白」の表示態様については先読み予告報知が実行されない場合に用いられるものとする。
【００５８】
また、先読み予告報知で用いられる「青」、「黄」、「赤」の３種類の表示態様は、特別図柄が大当たり態様となる信頼度（以下、大当たり信頼度という）に関する順位付けがされており、図５に示すように「青」、「黄」、「赤」の順で一段階ずつ大当たり信頼度が高くなるように設定されている。
【００５９】
図４（ａ）に示す表示パターンＡ０１〜Ａ１０は、特別保留個数が２個のときに３個目として取得される乱数情報に対応するもので、保留個数報知画像がＸ３→Ｘ２→Ｘ１と移行する際の保留個数報知画像の表示態様、即ち表示色の変化が規定されている。
【００６０】
ここで、全ての表示パターンは複数のタイプに分類されており、本実施形態では、図６に示すように、先読み予告報知期間を通して表示態様が変化しない「タイプＴ１」（不変報知パターン）、１回の変化が全て１段階以下である「タイプＴ２」（可変報知パターン）、１回の変化が２段階以上の場合を含む「タイプＴ３」（可変報知パターン）の３種類のタイプが設けられている。例えば、「青」→「青」→「青」の表示パターンＡ０１、「赤」→「赤」→「赤」の表示パターンＡ０５等はタイプＴ１、「青」→「黄」→「黄」の表示パターンＡ０３、「青」→「黄」→「赤」の表示パターンＡ０８等はタイプＴ２、「青」→「赤」→「赤」の表示パターンＡ０９等はタイプＴ３となっている。
【００６１】
また、図４（ｂ）に示す表示パターンＢ０１〜Ｂ１５は、特別保留個数が３個のときに４個目として取得される乱数情報に対応するもので、保留個数報知画像がＸ４→Ｘ３→Ｘ２→Ｘ１と移行する際の保留個数報知画像の表示態様、即ち表示色の変化が規定されている。なお、表示パターンについてのタイプ分類は図４（ａ）に示す表示パターンＡ０１〜Ａ１０と同様である。例えば、「青」→「青」→「青」→「青」の表示パターンＢ０１、「赤」→「赤」→「赤」→「赤」の表示パターンＢ０６等はタイプＴ１、「青」→「黄」→「黄」→「黄」の表示パターンＢ０３、「青」→「青」→「黄」→「赤」の表示パターンＢ１２等はタイプＴ２、「青」→「赤」→「赤」→「赤」の表示パターンＢ１３、「青」→「青」→「青」→「赤」の表示パターンＢ１５等はタイプＴ３となっている。
【００６２】
表示パターン選択手段（報知パターン選択手段）６６は、特別保留個数表示制御手段６４による先読み予告報知で用いられる表示パターンを、表示パターン記憶手段６５に記憶されている複数種類の中から選択するもので、例えば図７に示す表示パターン選択処理を、例えば微少時間間隔（例えば４ｍｓｅｃ毎）で行われる定期割り込み毎に実行するようになっている。
【００６３】
この表示パターン選択処理（図７）では、まず保留増加コマンドを受信したか否かが判定され（Ｓ１）、保留増加コマンドを受信していない場合（Ｓ１：Ｎｏ）にはここで表示パターン選択処理は終了する。
【００６４】
Ｓ１において保留増加コマンドを受信したと判定された場合には（Ｓ１：Ｙｅｓ）、増加後の特別保留個数が所定個数、例えば３個以上であるか否かが判定され（Ｓ２）、３個以上でなければ（Ｓ２：Ｎｏ）ここで表示パターン選択処理は終了する。
【００６５】
Ｓ２において増加後の特別保留個数が３個以上であると判定された場合には（Ｓ２：Ｙｅｓ）、先読み予告報知を行うか否かの抽選が行われ（Ｓ３）、先読み予告報知を行わない旨の抽選結果が得られた場合（Ｓ４：Ｎｏ）にはここで表示パターン選択処理は終了する。
【００６６】
Ｓ３において先読み予告報知を行う旨の抽選結果が得られた場合には（Ｓ４：Ｙｅｓ）、増加後の特別保留個数が３個の場合には表示パターン選択テーブルＡ（図４（ａ））を用いて表示パターンが選択され（Ｓ６）、増加後の特別保留個数が４個の場合には表示パターン選択テーブルＢ（図４（ｂ））を用いて表示パターンが選択され（Ｓ７）、表示パターン選択処理は終了する。
【００６７】
ここで、図４に示す表示パターン選択テーブルＡ，Ｂでは、先読み判定手段５８による先読み判定結果が大当たりの場合と外れの場合とで各表示パターンの選択率が異なる値に設定されている。即ち、まず全ての表示パターンは最終の表示態様に応じて選択率が割り振られており、先読み判定結果が大当たりの場合（遊技者に有利な特定結果の場合の一例）には、最終の表示態様（即ち保留個数報知画像Ｘ１の表示態様）が「青」、「黄」、「赤」の順序で選択率が高くなっているのに対し、先読み判定結果が外れの場合（特定結果でない場合の一例）には、逆に最終の表示態様が「青」、「黄」、「赤」の順序で選択率が低くなっている。これにより、最終の表示態様が「青」の場合よりも「黄」の場合の方が、また「黄」の場合よりも「赤」の場合の方が大当たり信頼度が高いと判断できる。
【００６８】
また、最終の表示態様が同じ複数の表示パターンに関しては、先読み判定結果が大当たりの場合には、タイプＴ１よりもタイプＴ２の方が、またタイプＴ２よりもタイプＴ３の方が選択率が高くなっているのに対し、先読み判定結果が外れの場合には、逆にタイプＴ１よりもタイプＴ２の方が、またタイプＴ２よりもタイプＴ３の方が選択率が低くなっている。これにより、最終の表示態様が同じ複数の表示パターン（例えば表示パターンＡ０５〜Ａ１０）に関しては、表示態様が変化しない表示パターン（例えば表示パターンＡ０５）よりも表示態様が変化する表示パターン（例えば表示パターンＡ０６〜Ａ１０）の方が大当たり信頼度が高く、また最終の表示態様が同じで表示態様が変化する複数の表示パターン（例えば表示パターンＡ０６〜Ａ１０）に関しては、表示態様の変化による順位上昇幅が大きいほど（例えば表示パターンＡ０６〜Ａ０８よりも表示パターンＡ０９，Ａ１０の方が）大当たり信頼度が高いと判断できる。
【００６９】
更に、最終の表示態様とタイプとが共に同じ複数の表示パターンに関しては、先読み判定結果が大当たりの場合には、最初の表示態様の順位が低い表示パターンほど、また表示態様の変化タイミングが遅い表示パターンほど選択率が高くなっているのに対し、先読み判定結果が外れの場合には、逆に最初の表示態様の順位が高い表示パターンほど、また表示態様の変化タイミングが早い表示パターンほど選択率が高くなっている。これにより、最終の表示態様が同じで表示態様の変化による順位上昇幅も同じ複数の表示パターン（例えば表示パターンＡ０９，Ａ１０）に関しては、なるべく順位上昇のタイミングが遅いほど（例えば表示パターンＡ０９よりもＡ１０の方が）大当たり信頼度が高いと判断できる。従って、例えば先読み予告報知が開始された場合の最初の表示態様の順位が低くても、またその順位が早いタイミングで上昇しなくても、遊技者の期待感を高く維持できる。
【００７０】
以上のように、本実施形態のパチンコ機によれば、最終の表示態様が同じでもそれまでの表示態様の変化状況によって大当たり信頼度が異なるため、遊技者は最終の表示態様だけでなくそれに至る表示態様の変化状況を見極めることでより正確に大当たり信頼度の高低を判断することができ、この先読み予告報知によって十分な演出効果を期待できる。
【００７１】
図８は本発明の第２の実施形態を例示し、先読み判定手段５８による先読み判定結果が確変大当たりの場合と通常大当たりの場合とで表示パターンの選択率を異ならせた例を示している。
【００７２】
図８に示す表示パターン選択テーブルＡ′は、図４（ａ）に示す表示パターン選択テーブルＡと同じく増加後の特別保留個数が３個の場合に使用されるもので、選択対象の表示パターンＡ０１〜Ａ１０については図４（ａ）と全く同じであり、各表示パターンの選択率の設定が異なっている。なお、増加後の特別保留個数が４個の場合に使用される表示パターン選択テーブルについては省略する。
【００７３】
図８に示す表示パターン選択テーブルＡ′では、先読み判定手段５８による先読み判定結果が大当たりの場合には、更に確変大当たりであるか通常大当たりであるかによって表示パターンの選択率が異なっている。即ち、確変大当たりの場合には、最終の表示態様が「青」、「黄」、「赤」の順序で選択率が高くなり、最終の表示態様が同じ複数の表示パターンに関してはタイプＴ１よりもタイプＴ２の方が、またタイプＴ２よりもタイプＴ３の方が選択率が高くなり、最終の表示態様とタイプとが共に同じ複数の表示パターンに関しては最初の表示態様の順位が低い表示パターンほど、また表示態様の変化タイミングが遅い表示パターンほど選択率が高くなるように設定されているのに対し、通常大当たりの場合には、逆に最終の表示態様が「青」、「黄」、「赤」の順序で選択率が低くなり、最終の表示態様が同じ複数の表示パターンに関してはタイプＴ１よりもタイプＴ２の方が、またタイプＴ２よりもタイプＴ３の方が選択率が低くなり、最終の表示態様とタイプとが共に同じ複数の表示パターンに関しては最初の表示態様の順位が高い表示パターンほど、また表示態様の変化タイミングが早い表示パターンほど選択率が高くなるように設定されている。なお、先読み判定手段５８による先読み判定結果が外れの場合には、全ての表示パターンＡ０１〜Ａ１０の選択率が同じ値に設定されている。
【００７４】
これにより、最終の表示態様が「青」の場合よりも「黄」の場合の方が、また「黄」の場合よりも「赤」の場合の方が、大当たりとなった場合に確変遊技状態が発生する可能性が高く、最終の表示態様が同じ複数の表示パターン（例えば表示パターンＡ０５〜Ａ１０）に関しては、表示態様が変化しない表示パターン（例えば表示パターンＡ０５）よりも表示態様が変化する表示パターン（例えば表示パターンＡ０６〜Ａ１０）の方が大当たりとなった場合に確変遊技状態が発生する可能性が高く、また最終の表示態様が同じで表示態様が変化する複数の表示パターン（例えば表示パターンＡ０６〜Ａ１０）に関しては、表示態様の変化による順位上昇幅が大きいほど（例えば表示パターンＡ０６〜Ａ０８よりも表示パターンＡ０９，Ａ１０の方が）大当たりとなった場合に確変遊技状態が発生する可能性が高く、更に最終の表示態様が同じで表示態様の変化による順位上昇幅も同じ複数の表示パターン（例えば表示パターンＡ０９，Ａ１０）に関しては、なるべく順位上昇のタイミングが遅いほど（例えば表示パターンＡ０９よりもＡ１０の方が）大当たりとなった場合に確変遊技状態が発生する可能性が高いと判断できる。
【００７５】
以上のように、先読み判定手段５８による先読み判定結果が確変大当たりの場合と通常大当たりの場合とで表示パターンの選択率を異ならせてもよい。
【００７６】
以上、本発明の実施形態について詳述したが、本発明はこれらの実施形態に限定されるものではなく、本発明の趣旨を逸脱しない範囲で種々の変更が可能である。例えば、表示パターンのタイプ分けは実施形態に示したものに限られず、例えば実施形態のタイプＴ２について、１段階ずつ２回以上変化する表示パターン（例えば表示パターンＡ０８，Ｂ１０〜Ｂ１２）を、１段階の変化が１回のみの表示パターン（例えば表示パターンＡ０６，Ａ０７，Ｂ０７〜Ｂ０９）とは別のタイプに分類し、大当たり等の場合の選択率をタイプＴ３よりも高く設定する等、実施形態とは異なる選択率に設定してもよい。
【００７７】
また実施形態では、全ての表示パターンが、特別図柄表示手段２２による新たな図柄変動の開始のタイミング（又は図柄変動の終了のタイミング）で表示態様が変化するように構成したが、それ以外のタイミングで表示態様が変化する表示パターン、例えば保留個数報知画像が最初の表示態様によって表示されてから所定時間経過後に他の表示態様に変化する表示パターンを設けてもよい。
【００７８】
先読み判定手段５８によってどのような判定を行うかは任意であり、その任意の先読み判定結果に応じて、各表示パターンの選択率の値を異ならせてもよい。例えば、先読み判定手段５８によって、特別利益状態における大入賞手段１７の開放パターンの種類を判定し、その開放パターンに応じて、例えば多くの出玉が期待できる開放パターンとその他の開放パターンとで各表示パターンの選択率の値を異ならせてもよい。また、例えばいわゆる潜伏確変の場合と通常時とで各表示パターンの選択率の値を異ならせてもよい。
【００７９】
特定の表示パターンについて、複数種類の先読み判定結果（例えば大当たりと外れ）のうちの所定判定結果（例えば大当たり）以外の選択率を全て０％としてもよい。これにより、その特定の表示パターンが出現すれば所定判定結果（例えば大当たり）となることが確定する。
【００８０】
実施形態では、画像表示手段１９に特別保留個数分の保留個数報知画像Ｘ１〜Ｘ４を表示することにより特別保留個数を報知する特別保留個数表示手段２５を用いて先読み予告報知を実行するように構成し、保留個数報知画像Ｘ１〜の表示態様（報知態様）の変化状態を規定した表示パターンを表示パターン選択手段（報知パターン選択手段）６６により選択するように構成した例を示したが、先読み予告報知を行う報知手段は、保留個数報知画像Ｘ１〜Ｘ４を表示することにより特別保留個数を報知するものに限られるものではなく、任意の報知手段を採用できる。例えば、ＬＥＤ等の発光手段により特別保留個数を報知する特別保留個数表示手段を用いて先読み予告報知を実行するように構成し、その発光手段の発光態様（報知態様）、例えば発光色、点滅パターン等の変化状態を規定した報知パターンを報知パターン選択手段により選択するように構成してもよい。
【００８１】
また本発明は、パチンコ機に限らず、アレンジボール機、雀球遊技機、スロットマシン等の各種遊技機において同様に実施することが可能である。
【符号の説明】
【００８２】
２２    特別図柄表示手段（図柄表示手段）
５３    特別乱数記憶手段（保留記憶手段）
５４ａ  大当たり判定手段（変動開始時判定手段）
５５    特別利益状態発生手段（利益状態発生手段）
５６    特別図柄表示制御手段（図柄表示制御手段）
５８    先読み判定手段
６４    特別保留個数表示制御手段（先読み予告報知制御手段）
６５    表示パターン記憶手段（報知パターン記憶手段）
６６    表示パターン選択手段（報知パターン選択手段）
【図１】
0005303044.tif 000002
【図２】
0005303044.tif 000003
【図３】
0005303044.tif 000004
【図４】
0005303044.tif 000005
【図５】
0005303044.tif 000006
【図６】
0005303044.tif 000007
【図７】
0005303044.tif 000008
【図８】
0005303044.tif 000009